(57)【要約】  【課題】光源から離れた位置においても，光量の低下を防ぐことができる光照射体，像形成構造体及び画像形成装置を提供する。  【解決手段】本発明の実施形態に係る画像形成装置１０は，発光部材７０と，静電潜像が形成され循環移動される像保持体と，像保持体の循環移動の方向と交わる方向に，発光部材７０から発せられた光が通過する空間部７８と，空間部７８に隣接して設けられ，像保持体方向に複数の層を有する透光性の導光体部７６とを含み，像保持体の長手方向に沿って配置され，像保持体に導光体部７６を通過した光を照射する光照射体６８とを有する。【選択図】図３
2009217126.tif 000002
【特許請求の範囲】
【請求項１】
静電潜像が形成され循環移動される像保持体の循環移動の方向と交わる方向に光が通過する空間部と，
前記空間部に隣接して設けられ，当該空間部と前記像保持体との間で複数の層を有する透光性の導光体部と，
を有し，
前記像保持体の長手方向に沿って配置され，前記像保持体に前記導光体部を通過した光を照射させる
光照射体。
【請求項２】
前記導光体部は，第１の筒状部材及び当該第１の筒状部材の外径より大きい内径を有する第２の筒状部材を含み，
前記第１の筒状部材は，前記第２の筒状部材の内側に配置されている
請求項１に記載の光照射体。
【請求項３】
前記第１の筒状部材は，前記像保持体に対向する側の表面と前記第２の筒状部材の内側面との距離が，その反対側の表面と前記第２の筒状部材の内側面との距離より大きくなるように配置されている
請求項２に記載の光照射体。
【請求項４】
前記導光体部は，前記像保持体の方向に向かって突出するよう弧状に形成されている
請求項１に記載の光照射体。
【請求項５】
反像保持体側に，光を反射させるための反射部をさらに有する
請求項１乃至４のいずれかに記載の光照射体。
【請求項６】
前記導光体部の反像保持体側に，光を反射させる塗料が塗られている
請求項１乃至４のいずれかに記載の光照射体。
【請求項７】
静電潜像が形成され循環移動される像保持体と，
前記像保持体の循環移動の方向と交わる方向に光が通過する空間部と，前記空間部に隣接して設けられ，当該空間部と前記像保持体との間で複数の層を有する透光性の導光体部とを含み，前記像保持体の長手方向に沿って配置され，前記像保持体に前記導光体部を通過した光を照射させる光照射体と,
を有する像形成構造体。
【請求項８】
発光部材と，
静電潜像が形成され循環移動される像保持体と，
前記像保持体の循環移動の方向と交わる方向に，前記発光部材から発せられた光が通過する空間部と，前記空間部に隣接して設けられ，当該空間部と前記像保持体との間で複数の層を有する透光性の導光体部とを含み，前記像保持体の長手方向に沿って配置され，前記像保持体に前記導光体部を通過した光を照射させる光照射体と,
を有する画像形成装置。
【発明の詳細な説明】
【技術分野】
【０００１】
本発明は，光照射体，像形成構造体及び画像形成装置に関する。
【背景技術】
【０００２】
この種の画像形成装置では，像保持体が帯電装置により帯電され，潜像が光書込み装置により形成され，潜像が現像装置により可視像化され，像保持体に形成された現像剤像が用紙に転写される。転写後の像保持体は，光除電装置により除電される。
【０００３】
特許文献１では，除電をするために感光体に光を照射する場合であっても，導光手段が画像形成装置本体からの光を利用して除電を行うプロセスカートリッジが開示されている。
特許文献２では，被照明面上に均一な照度で照射できる線状照明が可能な照明装置が開示されている。
【０００４】
特許文献３では，棒状の導光体の端部にＬＥＤランプを対向させ，前記導光体の側面に設けられた光放出部から光を放出して成るＬＥＤバー光源において，前記ＬＥＤランプは前記導光体の一方の端部にのみ対向する１個が設けられ，前記光放出部は前記ＬＥＤランプからの距離，および，前記導光体の他方の端部での前記ＬＥＤランプが反射して生じる写像からの距離を考慮した幅とされ，且つ，長手方向には略三角波状とされていることを特徴とするＬＥＤバー光源が開示されている。
【０００５】
特許文献４では，電子写真方式の画像形成装置に搭載され，光照射により感光体の残留電荷を除去する光除電器において，画像形成装置本体に設けられる点光源と，該画像形成装置本体に対して着脱可能なプロセスカートリッジに搭載され，該点光源からの入射光を該感光体へと導く光路を構成する導光体とを含む光除電器が開示されている。
【０００６】
特許文献５では，電子写真方式の画像形成装置において感光体の電荷を除電するのに用いられる光除電装置であって，前記感光体に対向して配置される導光体と，その導光体の光入射面に光を照射する光源とを有し，前記導光体には前記光源からの光を前記感光体に向けて反射する拡散反射面が形成されているとともに，当該導光体の後端面が光透過面となっており，その導光体の後端面の後方に反射面が配置されていることを特徴とする光除電装置が開示されている。
【０００７】
【特許文献１】特許第３６５２２４６号明細書
【特許文献２】特開平１０−１３３０２６号公報
【特許文献３】特開２００２−４４３７８号公報
【特許文献４】特開２００２−２７８３９５号公報
【特許文献５】特開２００６−１１３２１６号公報
【発明の開示】
【発明が解決しようとする課題】
【０００８】
本発明は，光源から離れた位置においても，光量の低下を防ぐことができる光照射体，像形成構造体及び画像形成装置を提供することを目的とする。
【課題を解決するための手段】
【０００９】
請求項１に係る光照射体は，静電潜像が形成され循環移動される像保持体の循環移動の方向と交わる方向に光が通過する空間部と，前記空間部に隣接して設けられ，当該空間部と前記像保持体との間で複数の層を有する透光性の導光体部と，を有し，前記像保持体の長手方向に沿って配置され，前記像保持体に前記導光体部を通過した光を照射させる。
【００１０】
請求項２に係る光照射体においては，前記導光体部は，第１の筒状部材及び当該第１の筒状部材の外径より大きい内径を有する第２の筒状部材を含み，前記第１の筒状部材は，前記第２の筒状部材の内側に配置されている。
【００１１】
請求項３に係る光照射体においては，前記第１の筒状部材は，前記像保持体に対向する側の表面と前記第２の筒状部材の内側面との距離が，その反対側の表面と前記第２の筒状部材の内側面との距離より大きくなるように配置されている。
【００１２】
請求項４に係る光照射体においては，前記導光体部は，前記像保持体の方向に向かって突出するよう弧状に形成されている。
【００１３】
請求項５に係る光照射体は，反像保持体側に，光を反射させるための反射部をさらに有する。
【００１４】
請求項６に係る光照射体においては，前記導光体部の反像保持体側に，光を反射させる塗料が塗られている。
【００１５】
請求項７に係る像形成構造体は，静電潜像が形成され循環移動される像保持体と，前記像保持体の循環移動の方向と交わる方向に光が通過する空間部と，前記空間部に隣接して設けられ，当該空間部と前記像保持体との間で複数の層を有する透光性の導光体部とを含み，前記像保持体の長手方向に沿って配置され，前記像保持体に前記導光体部を通過した光を照射させる光照射体と，を有する。
【００１６】
請求項８に係る画像形成装置は，発光部材と，静電潜像が形成され循環移動される像保持体と，前記像保持体の循環移動の方向と交わる方向に，前記発光部材から発せられた光が通過する空間部と，前記空間部に隣接して設けられ，当該空間部と前記像保持体との間で複数の層を有する透光性の導光体部とを含み，前記像保持体の長手方向に沿って配置され，前記像保持体に前記導光体部を通過した光を照射させる光照射体と，を有する。
【発明の効果】
【００１７】
請求項１に係る本発明によれば，光源から離れた位置においても，光量の低下を防ぐことができる光照射体を提供することができる。
【００１８】
請求項２に係る本発明によれば，請求項１に係る本発明の効果に加えて，光が筒状部材の外側表面及び内側表面で反射するので，第２の筒状部材が設けられていない場合と比較して，より奥まで光を送ることができる。
【００１９】
請求項３に係る本発明によれば，請求項２に係る本発明の効果に加えて，第１の筒状部材の像保持体に対向する側の表面と，第２の筒状部材の内側面との距離が大きいほど，反射する光が空間部を進む距離が大きくなるので，さらに奥まで光を送ることができる。
【００２０】
請求項４に係る本発明によれば，請求項１に係る本発明の効果に加えて，弧状部分と弧状部分との間に空間部を形成することができる。
【００２１】
請求項５に係る本発明によれば，請求項１乃至４のいずれかに係る本発明の効果に加えて，本構成を有していない場合と比較して，より光量の低下を防ぐことができる。
【００２２】
請求項６に係る本発明によれば，請求項１乃至４のいずれかに係る本発明の効果に加えて，本構成を有していない場合と比較して，より光量の低下を防ぐことができる。
【００２３】
請求項７に係る本発明によれば，光源から離れた位置においても，光量の低下を防ぐことができる像形成構造体を提供することができる。
【００２４】
請求項８に係る本発明によれば，光源から離れた位置においても，光量の低下を防ぐことができる画像形成装置を提供することができる。
【発明を実施するための最良の形態】
【００２５】
まず，本発明の第１の実施形態に係る画像形成装置１０を説明する。
図１は，本発明の実施形態に係る画像形成装置１０を示す図である。
図１に示すように，画像形成装置１０は，画像形成装置本体１２を有し，画像形成装置本体１２の下部には，給紙装置１４が配置されていると共に，画像形成装置本体１２の上部には排紙部１６が形成されている。
【００２６】
給紙装置１４は，用紙トレイ１８を有し，この用紙トレイ１８に多数の用紙が積層される。この用紙トレイ１８の一端上部には，フィードロール２０が配置されていると共に，このフィードロール２０に対向して捌きロール２２が設けられている。用紙トレイ１８の最上位にある用紙がフィードロール２０によりピックアップされ，フィードロール２０と捌きロール２２との協働により用紙が捌かれて搬送される。
【００２７】
用紙トレイ１８から搬送された用紙は，レジストローラ２４により一時停止され，所定のタイミングにより後述する像保持体ユニット２６と転写ユニット２８との間及び定着装置３０を通って排紙ローラ３２により排紙部１６へ排出される。
【００２８】
画像形成装置本体１２内には，画像形成装置本体１２に対して着脱可能に取り付けられた像保持体ユニット２６，転写ユニット２８，電源ユニット３４，トナーボックス５０，光書込み装置５６及び制御部３６が配置されている。制御部３６は，各構成要素を制御する。
【００２９】
像保持体ユニット２６には，例えば４つの像形成部６４（像形成構造体）が設けられている。像形成部６４には，像保持体４０が，回転自在に支持されており，循環移動される。像保持体４０は，後述する搬送ベルト６０又はこの搬送ベルト６０により搬送される用紙に転写される像を保持する。像保持体４０は，例えば，感光層を有する感光体からなる。像形成部６４において，像保持体４０の周囲には，像保持体４０を所定の極性に帯電する帯電ロールを備えた帯電装置４２，像保持体４０に形成された静電潜像を現像剤で現像する現像装置４４，転写後の像保持体４０を除電する光除電装置４６，及び転写がなされた後に像保持体４０に残留する現像剤を除去するクリーニング装置４８が設けられている。
【００３０】
トナーボックス５０は，像保持体ユニット２６の裏面側側方に接続されている。トナーボックス５０は，トナー供給部５４とトナー回収部５２とが一体になって構成されている。トナー供給部５４は，現像装置４４に接続されてトナーを現像装置４４に供給し，トナー回収部５２は，クリーニング装置４８に接続されて各色のトナーを回収する。トナーボックス５０は，例えば，マゼンダ，イエロー，シアン及び黒用である。
【００３１】
光書込み装置５６は，それぞれレーザー露光装置からなり，像保持体ユニット２６の背面側にあって各像保持体４０に対応した位置に配置され，一様に帯電された像保持体４０に対してレーザーを照射して潜像を形成するようになっている。
【００３２】
転写ユニット２８は，像保持体ユニット２６の表側にあって像保持体ユニット２６に対向して縦方向に配置されている。この転写ユニット２８においては，搬送ベルト６０が，上下方向に設けられた二つの支持ロール５８に掛けられている。搬送ベルトは，像又は用紙を搬送する。また，転写ロール６２が，搬送ベルト６０を挟んで対向して像保持体４０に設けられている。
【００３３】
したがって，各像保持体４０は，帯電装置４２により一様に帯電され，光書込み装置５６により静電潜像が形成され，現像装置４４により静電潜像がトナーにより可視像化される。各像保持体４０に形成されたトナー像は，転写ユニット２８の搬送ベルト６０により搬送される用紙に転写され，定着装置３０により用紙に定着される。転写後の像保持体４０は，光除電装置４６により除電される。
【００３４】
図２は，像保持体４０及び光除電装置４６を中心として像形成部６４を示す図である。
図２に示すように，光除電装置４６は，光照射体６８と，発光部材７０とを有する。
【００３５】
発光部材７０は，画像形成装置本体１２に設けられた光源であり，例えばＬＥＤ(Light Emitting Diode)である。発光部材７０は，光照射体６８の長手方向延長線上に位置し，発光部材７０と光照射体６８との距離は，例えば１〜３ｍｍである。発光部材７０は，矢印Ａで示すように，光照射体６８の長手方向端面に対して光を照射する。
【００３６】
光照射体６８は，像形成部本体６６に回転可能に支持された像保持体４０の長手方向に沿って，この像形成部本体６６に取り付けられている。光照射体６８は，矢印Ｂで示すように，発光部材７０から発せられた光を像保持体４０に一様に照射して，像保持体４０を除電する。
【００３７】
図３は，本実施形態に係る光照射体６８の側面断面図を中心として光除電装置４６を示す図である。
図４は，発光部材７０側から見た光照射体６８の断面を示す図である。
図３及び図４に示すように，光照射体６８は，発光部材７０から発せられた光が像保持体４０の循環移動の方向と交わる方向に通過する複数の空間部７８と，この空間部７８に隣接して設けられた透光性の導光体部７６と，この導光体部７６に対して反像保持体４０側に設けられた光を反射させるための反射部７２とを有する。光照射体６８は，このような構成により，導光体部７６を通過した光を像保持体４０に照射する。
【００３８】
空間部７８，導光体部７６及び反射部７２は，像保持体４０の長手方向に沿って設けられている。空間部７８は，導光体部７６の長手方向の一端に形成された開口８０に接続されている。即ち，空間部７８は，導光体部７６の開口８０に導光体部７６の長手方向の一端で隣接している。
【００３９】
導光体部７６は，像保持体４０方向に複数の層を有する。より具体的には，導光体部７６は，光が入る開口８０が長手方向端面に形成された中空形状の第１の筒状部材７６ａ及び第１の筒状部材７６ａの外径より大きい内径を有する第２の筒状部材７６ｂを含む。第１の筒状部材７６ａは，第２の筒状部材７６ｂの内側に配置されている。即ち，空間部７８は，第１の筒状部材７６ａの内側及び第１の筒状部材７６ａと第２の筒状部材７６ｂとの間に形成されている。なお，導光体部７６は，３以上の筒状形状を含んでもよい。この場合，導光体部７６は，３以上の筒状形状が重ねられて形成される。
【００４０】
導光体部７６は，例えば，アクリル樹脂，ポリカーボネート樹脂，ポリスチレン樹脂及びＡＢＳ樹脂のいずれかから成り，押出成形されている。導光体部７６は，光が入る開口８０側の端面が粗面化されて成る。例えば，導光体部７６がアクリル樹脂である場合，その表面での反射率は８５％乃至９５％程度であり，透過率は１０％乃至１５％程度である。
【００４１】
反射部７２は，例えば白色樹脂で形成されたケースであり，導光体部７６の少なくとも一部を覆っている。より具体的には，反射部７２は，長手方向に沿って導光体部７６を覆っており，導光体部７６に光を入射するための光入射面，及び像保持体４０に近接する対向面で開口している。
【００４２】
さらに，反射部７２は，導光体部７６の端部であって光が入る開口８０が形成された端部とは異なる端部を覆う終端部７４を有する。したがって，光は，終端部７４で反射し，戻りながら反射と透過を繰り広げる。これにより，終端部７４側から像保持体４０に照射する光量が増加する。
【００４３】
図５は，像保持体４０に対向する開口側から見た反射部７２を示す図である。
図５に示すように，反射部７２は，像保持体４０に対向する開口部に，突出する例えば爪形状又は凸形状の突起部８２を有する。突起部８２は，当該開口部に複数設けられている。開口部の一方に設けられた複数の突起部８２の先端を結ぶ直線と，他方に設けられた複数の突起部８２の先端を結ぶ直線との距離Ｌは，導光体部７６（第２の筒状部材７６ｂ）の直径より小さい。したがって，導光体部７６が，反射部７２に嵌め込まれた場合には，突起部８２が，導光体部７６を支持する。
【００４４】
なお，反射部７２は，設けられていなくてもよい。また，反射部７２が設けられていない場合，導光体部７６の外側表面が白色塗料等の光を反射し易い色の塗料で塗られた形態や，導光体部７６の外側表面に銀色のテープ等の光を反射し易い色のテープが貼られた形態が用いられてもよい。
【００４５】
図６は，導光体部７６において光が通過する様子を説明する図である。なお，図中では，光線は，始点と終点とで区別される。例えば，光がＯから出発してＡまで到達する場合，この光は光線ＯＡと呼ばれる。また，導光体部７６（第１の筒状部材７６ａ，第２の筒状部材７６ｂ）の各表面を面１〜８と呼ぶ。
【００４６】
図６に示すように，光線ＯＡは，発光部材７０から発せられ，面４で反射し，面５を透過し，面６を透過し，面７で反射し，面６で反射し，面７を透過し，さらに面８を透過して，像保持体４０の表面に達する。仮に第２の筒状部材７６ｂが設けられていない場合，光線ＯＡは，面６を透過した後に像保持体４０の表面に達するので，光線ＯＡ’となる。導光体部７６の長手方向におけるＡの位置とＡ’の位置とを比較すると，位置Ａは，位置Ａ’より奥側（反発光部材７０側）である。このような位置の相違は，第２の筒状部材７６ｂの内側面と第１の筒状部材７６ａの外側面との反射が増えたことによる。
【００４７】
光線ＯＢは，発光部材７０から発せられ，面４で反射し，面５を透過し，面６を透過し，面７で反射し，面６で反射し，面７を透過し，面８で反射し，面７で反射し，面８を透過して，像保持体４０の表面に達する。仮に第２の筒状部材７６ｂが設けられていない場合，光線ＯＢは，面８での反射がなくなるので，光線ＯＢ’となる。導光体部７６の長手方向におけるＢの位置とＢ’の位置とを比較すると，位置Ｂは，位置Ｂ’より奥側である。このような位置の相違は，第２の筒状部材７６ｂの外側面と内側面との反射が増えたことによる。
【００４８】
光線ＯＣは，発光部材７０から発せられ，第１の筒状部材７６ａの端面を透過し，面３を透過し，面２で反射し，面３〜面８を透過して，像保持体４０の表面に達する。仮に第２の筒状部材７６ｂが設けられていない場合，光線ＯＣは，面２での反射がなくなるので，光線ＯＣ’となる。
【００４９】
また，光が空間部７８を通過すると，導光体部７６を通過する場合と比較して，光エネルギーの損失が少ない。したがって，空間部７８を通過する光は，光量の減衰が抑えられて，発光部材７０側から反発光部材７０側へと移動する。これにより，発光部材７０側から離れた箇所でも，像保持体４０に照射する光量を確保し易くなる。
【００５０】
なお，図６に示される矢印は，導光体部７６の界面で光が反射又は透過していることを模式的に示す。したがって，図中の矢印は，入射角，反射角，屈折角の関係や全ての光の筋道を正確に表していない。実際には，図示した以上に無数の光が，反射又は透過している。
【００５１】
図７は，像保持体４０に照射される光量と，発光部材７０側からの距離との関係を示す図である。
図７（ａ）は，特許文献１等に開示されている導光手段のように，長手方向と交わる方向に細かな凹凸形状が形成された導光手段により像保持体４０に照射される光量と発光部材７０側からの距離との関係を示し，図７（ｂ）は，本実施形態に係る光照射体６８により像保持体４０に照射される光量と発光部材７０側からの距離との関係を示す。なお，図７（ｂ）において，実線は，導光体部７６が複数の筒状部材を含む場合を示し，破線は，導光体部７６が１つの筒状部材を含む場合を示す。
【００５２】
図７（ａ）に示される場合では，巨視的に見ると，発光部材７０側，反発光部材７０側（終端部７４側）及びその中間部において，光量の減衰は，図７（ｂ）に示される場合と比べて少ない。また，微視的に見ると，導光手段の長手方向と交わる方向に細かな凹凸形状が形成されているので，光量の強弱の差が，図７（ｂ）に示される場合と比べて大きく現れる。
【００５３】
一方，図７（ｂ）に示される場合では，巨視的に見ると，発光部材７０側から終端部７４側に向けて，光量の減衰が，図７（ａ）に示される場合と比べて大きい。また，光が終端部７４で反射するので，中間部から終端部７４側に向けて，光量が増している。微視的に見ると，導光体部７６の像保持体４０に沿った方向と交わる方向に細かな凹凸形状が形成されていないので，光量の強弱の差は，表れない。ここで，図７（ｂ）の実線で示されるように，導光体部７６に複数の筒状部材が含まれる場合，導光体部７６に１つの筒状部材だけが含まれる場合と比較して，光量の減衰が小さい。
【００５４】
次に，第２の実施形態〜第１６の実施形態に係る画像形成装置１０を説明する。第２の実施形態〜第１６の実施形態に係る画像形成装置１０では，光照射体６８の形態がそれぞれ異なる。
【００５５】
図８は，本発明の第２の実施形態及び第３の実施形態に係る光照射体６８の断面図を示す図であって，図８（Ａ）は，第１の筒状部材７６ａの断面中心と第２の筒状部材７６ｂの断面中心とがずれている導光体部７６の形態を示し，図８（Ｂ）は，図８（Ａ）に示される導光体部７６の第２の筒状部材７６ｂに光を反射させる塗料が塗布された形態を示し，図８（Ｃ）は，第２の実施形態において光が通過する様子を説明する図である。
【００５６】
図８（Ａ）に示すように，第２の実施形態に係る光照射体６８は，第１の筒状部材７６ａが，像保持体４０に対向する側の表面と第２の筒状部材７６ｂの内側面との距離がその反対側の表面と第２の筒状部材７６ｂの内側面との距離より大きくなるように配置されている導光体部７６を有する。即ち，第１の筒状部材７６ａは，第２の筒状部材７６ｂの内側において，反像保持体４０側に偏って配置されている。例えば，第２の筒状部材７６ｂは，その内側に配置された第１の筒状部材７６ａに引っ掛けられている。
【００５７】
図８（Ｂ）に示すように，第３の実施形態に係る光照射体６８は，第２の筒状部材７６ｂの像保持体４０に対向する側と反対側（反像保持体４０）の表面に，光を反射させる塗料８４が塗られている導光体部７６を有する。即ち，最も外側の筒状部材に，塗料が塗られている。例えば，塗料８４は，白色塗料である。
【００５８】
図８（Ｃ）において，光線ＯＡ，ＯＢは，図６に示されたものである。図８（Ｃ）に示すように，光線ＯＡは，面６と面７との間の距離が図６に示される距離より広いので，光線ＯＡ’’となる。導光体部７６の長手方向におけるＡの位置とＡ’’の位置とを比較すると，位置Ａ’’は，位置Ａより奥側である。
【００５９】
図９は，本発明の第４の実施形態に係る光照射体６８を示す図であって，図９（Ａ）は，複数の板状部材からなる導光体部７６を示し，図９（Ｂ）は，導光体部７６の断面図を示す。
図９（Ａ）及び図９（Ｂ）に示すように，本実施形態に係る光照射体６８は，例えば４つの板状部材８６ａ〜８６ｄを含む導光体部７６を有する。板状部材８６ａ〜８６ｄは，所定の間隔をあけて，像保持体４０の厚さ方向に重ねられて配置されている。板状部材８６ａ〜８６ｄは，例えば，透光性を有するプラスチック板である。
【００６０】
図１０は，本発明の第５の実施形態〜第１０の実施形態に係る光照射体６８を示す図である。
図１０（Ａ）に示すように，第５の実施形態に係る光照射体６８は，像保持体４０の方向に向かって突出するよう弧状に形成された板状部材８６ａ〜８６ｄを含む導光体部７６を有する。板状部材８６ａ〜８６ｄが重ねられると，板状部材と板状部材との間には，空間部が形成されるようになっている。
【００６１】
図１０（Ｂ）に示すように，第６の実施形態に係る光照射体６８は，第４の実施形態に係る光照射体６８（図９）において，像保持体４０から最も遠くに配置される板状部材８６ａの上面に，光を反射させる塗料８４が塗られた導光体部７６を有する。
【００６２】
図１０（Ｃ）に示すように，第７の実施形態に係る光照射体６８は，第４の実施形態に係る光照射体６８（図９）の導光体部７６と，この導光体部７６に対して反像保持体４０側に，光を反射させるための反射部７２とを含む。
【００６３】
図１０（Ｄ）に示すように，第８の実施形態に係る光照射体６８は，第５の実施形態に係る光照射体６８において，像保持体４０から最も遠くに配置される板状部材８６ａの上面に，光を反射させる塗料８４が塗られた導光体部７６を有する。
【００６４】
図１０（Ｅ）に示すように，第９の実施形態に係る光照射体６８は，第５の実施形態に係る光照射体６８の導光体部７６と，この導光体部７６に対して反像保持体４０側に，光を反射させるための反射部７２とを含む。
【００６５】
図１０（Ｆ）に示すように，第１０の実施形態に係る光照射体６８は，像保持体４０側の表面が弧状に形成された板状部材８６ａ〜８６ｄを含む導光体部７６を有する。
【００６６】
図１１は，本発明の第１１の実施形態〜第１６の実施形態に係る光照射体６８を示す図である。
図１１（Ａ）に示すように，第１１の実施形態に係る光照射体６８は，第１０の実施形態に係る光照射体６８（図１０（Ｆ））において，像保持体４０から最も遠くに配置される板状部材８６ａの上面に，光を反射させる塗料８４が塗られた導光体部７６を有する。
【００６７】
図１１（Ｂ）に示すように，第１２の実施形態に係る光照射体６８は，第１０の実施形態に係る光照射体６８の導光体部７６と，この導光体部７６に対して反像保持体４０側に，光を反射させるための反射部７２とを含む。
【００６８】
図１１（Ｃ）に示すように，第１３の実施形態に係る光照射体６８は，筒状部材７６ａと弧状に形成された板状部材８６とを含む導光体部７６を有する。板状部材８６は，筒状部材７６ａに対して像保持体４０側に設けられている。
【００６９】
図１１（Ｄ）に示すように，第１４の実施形態に係る光照射体６８は，筒状部材７６ａと弧状に形成された複数の板状舞台８６ａ，８６ｂとを含む導光体部７６を有する。複数の板状部材８６ａ，８６ｂは，筒状部材７６ａに対して像保持体４０側に重ねて設けられている。
【００７０】
図１１（Ｅ）に示すように，第１５の実施形態に係る光照射体６８は，第１３の実施形態に係る光照射体６８の導光体部７６と，この導光体部７６に対して反像保持体４０側に，光を反射させるための反射部７２とを含む。
【００７１】
図１１（Ｆ）に示すように，第１６の実施形態に係る光照射体６８は，第１４の実施形態に係る光照射体６８の導光体部７６と，この導光体部７６に対して反像保持体４０側に，光を反射させるための反射部７２とを含む。
【図面の簡単な説明】
【００７２】
【図１】本発明の実施形態に係る画像形成装置１０を示す図である。
【図２】像保持体４０及び光除電装置４６を中心として像形成部６４を示す図である。
【図３】本発明の第１の実施形態に係る光照射体６８の側面断面図を中心として光除電装置４６を示す図である。
【図４】発光部材７０側から見た光照射体６８の断面を示す図である。
【図５】像保持体４０に対向する開口側から見た反射部７２を示す図である。
【図６】導光体部７６において光が通過する様子を説明する図である。
【図７】像保持体４０に照射される光量と，発光部材７０側からの距離との関係を示す図である。
【図８】本発明の第２の実施形態及び第３の実施形態に係る光照射体６８の断面図を示す図である。
【図９】本発明の第４の実施形態に係る光照射体６８を示す図である。
【図１０】本発明の第５の実施形態〜第１０の実施形態に係る光照射体６８を示す図である。
【図１１】本発明の第１１の実施形態〜第１６の実施形態に係る光照射体６８を示す図である。
【符号の説明】
【００７３】
１０ 画像形成装置
２６ 像保持体ユニット
４０ 像保持体
４６ 光除電装置
６４ 像形成部
６８ 光照射体
７０ 発光部材
７２ 反射部
７４ 終端部
７６ 導光体部
７６ａ，７６ｂ 筒状部材
７８ 空間部
８０ 開口
８４ 塗料
８６ａ−８６ｄ 板状部材
【図１】
2009217126.tif 000003
【図２】
2009217126.tif 000004
【図３】
2009217126.tif 000005
【図４】
2009217126.tif 000006
【図５】
2009217126.tif 000007
【図６】
2009217126.tif 000008
【図７】
2009217126.tif 000009
【図８】
2009217126.tif 000010
【図９】
2009217126.tif 000011
【図１０】
2009217126.tif 000012
【図１１】
2009217126.tif 000013